(57)【特許請求の範囲】
【請求項１】
上ケース体と下ケース体とを有してなる楽器であって、
前記上ケース体は、上面部及び下面部を有すると共に、前記上面部に演奏操作部を有して楽器本体を構成し、
前記下ケース体は、上面部、底面部及び周囲面部を有し、当該下ケース体の前記上面部が前記上ケース体の前記下面部に固定状態に結合されて、スピーカボックスとして機能するように構成され、
前記下ケース体の前記周囲面部の前後及び左右の各側には、各々外方に向けられた複数の放音部が配設され、
前記下ケース体の前記周囲面部は、上方にいくにつれて内側に傾斜した傾斜面として形成され、
前記上ケース体は、当該上ケース体の前記下面部と前記上面部との間の周囲面部を有し、該周囲面部は、下方にいくにつれて内側に傾斜した傾斜面として形成されて、前記下ケース体の前記周囲面部と向き合う方向に傾斜し、前記複数の放音部で放音された音が前記上ケース体の前記周囲面部で反射して外方に向かうように構成されたことを特徴とする楽器。
【請求項２】
前記上ケース体と前記下ケース体とは着脱自在に構成され、前記下ケース体に、種類の異なる複数の上ケース体のうち１つを選択して装着可能であることを特徴とする請求項１記載の楽器。
【請求項３】
前記上ケース体と前記下ケース体とを着脱自在に嵌合する嵌合手段を有することを特徴とする請求項１または２記載の楽器。
【請求項４】
前記嵌合手段は、前記上ケース体と前記下ケース体とを、互いを相対的に水平方向にスライドさせて着脱自在に嵌合状態にすると共に、前記上ケース体と前記下ケース体とが嵌合状態になったとき、前記上ケース体と前記下ケース体とが上下方向に分離できないように係止状態にするように構成されたことを特徴とする請求項３記載の楽器。
【請求項５】
前記嵌合手段により前記上ケース体と前記下ケース体とが嵌合状態になったとき、前記上ケース体と前記下ケース体との電気的接続もなされるように構成されたことを特徴とする請求項４記載の楽器。
【請求項６】
前記下ケース体の前記底面部には、下方に開口する凹部が形成され、該凹部に放音部が設けられたことを特徴とする請求項１〜５のいずれか１項に記載の楽器。
【請求項７】
前記下ケース体の前記底面部に対して着脱自在なベース脚体を有し、前記下ケース体の前記底面部には、放音部が設けられ、前記ベース脚体には、前記下ケース体の前記底面部に設けられた前記放音部に対応する位置に放音部が設けられていることを特徴とする請求項１〜６のいずれか１項に記載の楽器。
【請求項８】
上面部、底面部及び周囲面部を有し、前記上面部に演奏操作部が設けられた楽器であって、
前記周囲面部は、上下方向中間部がくびれていて、当該楽器の側面視形状が鼓形状に形成され、前記周囲面部の上半部と下半部とは、互いに向き合う方向に傾斜し、
前記周囲面部の前記上半部及び前記下半部の少なくとも一方における前後及び左右の各側には、各々外方に向けられた複数の放音部が配設され、
前記上半部及び前記下半部の前記少なくとも一方に配置された放音部で放音された音が、前記上半部及び前記下半部の他方で反射して外方に向かうように構成されたことを特徴とする楽器。
【請求項９】
当該楽器を、前記底面部が鉛直方向を向くように床面に載置したとき、前記底面部が鉛直方向に平行な状態で当該楽器が起立するように、平面視における前記上面部及び前記底面部の外郭が一致する箇所であって、且つ前記底面部が鉛直方向に平行な状態で共に接地される箇所が存在することを特徴とする請求項８記載の楽器。
【発明の詳細な説明】
【技術分野】
【０００１】
本発明は、楽器本体にスピーカボックスを設けた楽器に関する。
【背景技術】
【０００２】
従来、楽器本体にスピーカボックスを設けた楽器が知られている。例えば、下記特許文献１では、鍵盤楽器本体が２つの（第１、第２の）スピーカボックスを内蔵している。第１のスピーカボックスにおいては、スピーカを上方に向けて配設すると共に、これに隣接して、ダクトを有する開口を設けている。さらに、第２のスピーカボックスにおいては、スピーカを上方に向けて配設すると共に、ダクトを有して下方に開口する開口を設けている。これらにより、低音域が伸びる良好な音響特性を実現している。
【特許文献１】特許第２５４１０１７号公報
【発明の開示】
【発明が解決しようとする課題】
【０００３】
しかしながら、上記特許文献１では、スピーカや開口が、上方または下方に向けて配設されているので、水平方向における周囲全体に音が広がらない。特に、演奏時において、観客が、水平方向における四方八方に存在する場合には、音響を観客の方向である周囲全体に伝えるのに十分でないという問題があった。
【０００４】
本発明は上記従来技術の問題を解決するためになされたものであり、その目的は、音響特性が良い音を楽器周囲の広い範囲に伝えることができる楽器を提供することにある。
【課題を解決するための手段】
【０００５】
上記目的を達成するために本発明の請求項１の楽器は、上ケース体（１０）と下ケース体（２０）とを有してなる楽器であって、前記上ケース体は、上面部（１１）及び下面部（１２）を有すると共に、前記上面部に演奏操作部（ＫＢ、ＤＲ）を有して楽器本体を構成し、前記下ケース体は、上面部（２１）、底面部（２２）及び周囲面部（２３〜２６）を有し、当該下ケース体の前記上面部が前記上ケース体の前記下面部に固定状態に結合されて、スピーカボックスとして機能するように構成され、前記下ケース体の前記周囲面部の前後及び左右の各側には、各々外方に向けられた複数の放音部（ＳＰ）が配設され、前記下ケース体の前記周囲面部は、上方にいくにつれて内側に傾斜した傾斜面として形成され、前記上ケース体は、当該上ケース体の前記下面部と前記上面部との間の周囲面部を有し、該周囲面部は、下方にいくにつれて内側に傾斜した傾斜面として形成されて、前記下ケース体の前記周囲面部と向き合う方向に傾斜し、前記複数の放音部で放音された音が前記上ケース体の前記周囲面部で反射して外方に向かうように構成されたことを特徴とする。
【０００８】
好ましくは、前記上ケース体と前記下ケース体とは着脱自在に構成され、前記下ケース体に、種類の異なる複数の上ケース体のうち１つを選択して装着可能である。
【０００９】
好ましくは、前記上ケース体と前記下ケース体とを着脱自在に嵌合する嵌合手段（４３〜４６）を有する。
【００１０】
好ましくは、前記嵌合手段は、前記上ケース体と前記下ケース体とを、互いを相対的に水平方向にスライドさせて着脱自在に嵌合状態にすると共に、前記上ケース体と前記下ケース体とが嵌合状態になったとき、前記上ケース体と前記下ケース体とが上下方向に分離できないように係止状態にするように構成される。
【００１１】
好ましくは、前記嵌合手段により前記上ケース体と前記下ケース体とが嵌合状態になったとき、前記上ケース体と前記下ケース体との電気的接続もなされるように構成される。
【００１２】
好ましくは、前記下ケース体の前記底面部には、下方に開口する凹部（４７）が形成され、該凹部に放音部（２７）が設けられる。
【００１３】
好ましくは、前記下ケース体の前記底面部に対して着脱自在なベース脚体を有し、前記下ケース体の前記底面部には、放音部（２７Ａ）が設けられ、前記ベース脚体には、前記下ケース体の前記底面部に設けられた前記放音部に対応する位置に放音部（２７Ｂ）が設けられている。
【００１４】
上記目的を達成するために本発明の請求項８の楽器は、上面部（１１）、底面部（２２）及び周囲面部（１０２）を有し、前記上面部に演奏操作部が設けられた楽器であって、前記周囲面部は、上下方向中間部がくびれていて、当該楽器の側面視形状が鼓形状に形成され、前記周囲面部の上半部と下半部とは、互いに向き合う方向に傾斜し、前記周囲面部の前記上半部及び前記下半部の少なくとも一方における前後及び左右の各側には、各々外方に向けられた複数の放音部が配設され、前記上半部及び前記下半部の前記少なくとも一方に配置された放音部で放音された音が、前記上半部及び前記下半部の他方で反射して外方に向かうように構成されたことを特徴とする。
【００１５】
好ましくは、当該楽器を、前記底面部が鉛直方向を向くように床面（１０１）に載置したとき、前記底面部が鉛直方向に平行な状態で当該楽器が起立するように、平面視における前記上面部及び前記底面部の外郭が一致する箇所（１００ａ、１００ｂ）であって、且つ前記底面部が鉛直方向に平行な状態で共に接地される箇所が存在する。
【００１６】
なお、上記括弧内の符号は例示である。
【発明の効果】
【００１７】
本発明の請求項１によれば、音響特性が良い音を楽器周囲の広い範囲に伝えることができる。
【００２０】
請求項２によれば、異機種の楽器間でスピーカボックスを共用化することができる。
【００２１】
請求項３によれば、収納や運搬時にコンパクトにすることができる。
【００２２】
請求項４によれば、コンパクトに収納や運搬を行うことができる。
【００２３】
請求項５によれば、電気的接続を容易にすることができる。
【００２４】
請求項６によれば、下ケース体からの音を、凹部を通じて周辺に効率よく放音させることができる。
【００２５】
請求項７によれば、下方への放音効果を確保しつつ、ベース脚体の着脱により、楽器本体の高さを変えることができる。
【００２６】
本発明の請求項８によれば、音響特性が良い音を楽器周囲の広い範囲に伝えることができる。
【００２７】
請求項９によれば、非使用時における配設スペースが小さくて済む。
【発明を実施するための最良の形態】
【００２８】
以下、本発明の実施の形態を図面を参照して説明する。
【００２９】
（第１の実施の形態）
図１（ａ）は、本発明の第１の実施の形態に係る楽器の平面図、図１（ｂ）は、同楽器の正面図、図１（ｃ）は、同楽器の右側面図である。図２（ａ）は、同楽器の背面図、図２（ｂ）は、同楽器の底面図、図２（ｃ）は、同楽器の左側面図である。
【００３０】
図１（ａ）に示すように、この楽器は、演奏操作部として、複数の白鍵及び黒鍵を有する鍵盤部ＫＢを備える。以降、奏者が位置する鍵盤部ＫＢの側を前方とし、左右方向については、奏者からみた方向を基準とする。
【００３１】
図１（ｂ）、（ｃ）、図２（ａ）、（ｃ）に示すように、この楽器は、上ケース体１０、下ケース体２０及びベース脚体３０から構成される。上ケース体１０は、上面部１１、下面部１２を有する。上面部１１と下面部１２との間に連接される側面である周囲面部として、前面１３、背面１４、左側面１５及び右側面１６が形成されている。
【００３２】
下ケース体２０は、上面部２１、底面部２２を有する。上面部２１と底面部２２との間に連接される側面である周囲面部として、前面２３、背面２４、左側面２５及び右側面２６が形成されている。ベース脚体３０は、下ケース体２０の底面部２２に、連結部３２によって固定状態に結合されている（図２（ａ）、（ｂ）参照）。ベース脚体３０の底面には４つの脚部３１が設けられ、これら脚部３１が床や卓上に当接して、楽器が設置される。
【００３３】
上ケース体１０の周囲面部は、全面に亘って、下方にいくにつれて内側に傾斜する傾斜面となっている。すなわち、平面視の面積が、下方ほど小さい。一方、下ケース体２０の周囲面部は、全面に亘って、上方にいくにつれて内側に傾斜する傾斜面となっている。すなわち、平面視の面積が、上方ほど小さい。側面視における上ケース体１０、下ケース体２０の各周囲面部の傾斜角度は、鉛直方向に対して４５°以上であり、両周囲面部が成す角は９０°よりやや小さい。以上から、上ケース体１０、下ケース体２０はいずれも、その側面視（乃至縦断面）形状が、図１（ｃ）に示すように、台形形状である。
【００３４】
上ケース体１０の下面部１２と下ケース体２０の上面部２１とは、面積はもとより平面視の形状も一致している。そして、上ケース体１０の下面部１２に、下ケース体２０の上面部２１が結合固定されている。結合の態様は問わないが、例えば、上ケース体１０の下面部１２に設けた複数のネジ穴に、対応して下ケース体２０に設けたボスを介して、ネジ３３で締結される（図１（ｂ）参照）。これらのネジ３３は、上ケース体１０に下ケース体２０及びベース脚体３０を共締めする形で螺合される。その結果、正面視及び側面視において、上ケース体１０と下ケース体２０との間がくびれた形状となる。また、上ケース体１０の下面部１２と下ケース体２０の上面部２１とには、不図示の穴が対応して施され、それらの穴に電気配線を通すことで、該穴が目詰まり状態になっている。
【００３５】
上ケース体１０において、鍵盤部ＫＢが、上面部１１に配設され（図１（ａ）参照）、上ケース体１０が楽器本体を構成している。上ケース体１０の背面１４には、端子部１７及び把持部１８が設けられている（図２（ａ）等参照）。
【００３６】
下ケース体２０は、内部に不図示の中空部が形成されており、スピーカボックスとして機能する。下ケース体２０において、周囲面部には、複数の放音部ＳＰ（ＳＰ１〜ＳＰ１０）が配設される（図２（ｂ）等参照）。具体的には、前面２３、背面２４にそれぞれ４つの放音部ＳＰが配設され、左側面２５、右側面２６にそれぞれ１つの放音部ＳＰが配設される。各放音部ＳＰの、各々の正面からみた形状は円形である。
【００３７】
各放音部ＳＰは、スピーカ及び放音用の開口である放音部（トーンエスケープ）からなり、放音部は、それぞれが配設されている周囲面部の部分の面と平行に開口している。それぞれスピーカは、各放音部ＳＰの内部に配設されており、放音部ＳＰから外方に放音される。放音部ＳＰはスピーカそのものであってもよい。
【００３８】
また、図２（ｂ）に示すように、下ケース体２０の底面部２２には、中低音用のスピーカ（ウーハまたはスコーカ）２７、２８Ｌ、２８Ｒが設けられ、これらスピーカ２７、２８Ｌ、２８Ｒは、ベース脚体３０にかけて設けられて、これらに連通するように、ベース脚体３０の底面にそれらの放音部が開口している。なお、スピーカの音を放音する放音部が開口していればよく、スピーカ自体の配置は放音部に近接していなくてもよい。
【００３９】
ところで、スピーカ２７、２８Ｌ、２８Ｒは、すべてを設ける必要はなく、スピーカ２７だけ、あるいはスピーカ２８Ｌ、２８Ｒだけを設けるようにしてもよい。また、ベース脚体３０は必須でなく、下ケース体２０の底面部２２の４カ所に脚部を設けて直接設置されるようにしてもよい。その場合は、スピーカ２７、２８Ｌ、２８Ｒからの放音用の開口部（放音部）は、下ケース体２０の底面部２２に直接設ければよい。
【００４０】
かかる構成において、スピーカ２７、２８Ｌ、２８Ｒから放音された中低音の音は、４つの脚部３１によってベース脚体３０の底面と設置面との間に形成される隙間から、前後左右の周囲全体に伝わる。
【００４１】
一方、中低音以外の音については、主に放音部ＳＰから放音される。放音部ＳＰは、下ケース体２０の周囲面部の全周（前後左右）に設けられるので、周囲全体に広く音が伝わる。従って、観客が奏者の周囲に分散して存在するような場面においても、偏りなく音を伝えることができる。
【００４２】
また、上ケース体１０の周囲面部と下ケース体２０の周囲面部とは、９０°近い鋭角を成して、互いに向き合う方向に傾斜している。そのため、放音部ＳＰから放音された音が、上ケース体１０の周囲面部で反射し、外方に向かう。これにより、音が周囲全体に一層良く伝わる。
【００４３】
ここで、周囲全体に広く音が伝わるようにするためには、放音部ＳＰは、少なくとも３つ必要である。その配置は、角度的になるべく離れているのが望ましい。具体的には、図２（ｂ）で、放音部ＳＰ３、ＳＰ５、ＳＰ８を例示して説明すると、まず、本楽器の左右方向中心で且つ前後方向中心である中心点をＰ０とする。この中心点Ｐ０は、本楽器の平面視における外郭形状をした平面図形の重心乃至図心として定義してもよい。
【００４４】
そして、放音部ＳＰ３、ＳＰ５、ＳＰ８の各中心位置と中心点Ｐ０とをそれぞれ結ぶ線分をＬ１、Ｌ２、Ｌ３とする。線分のうち任意の２つ、例えば、線分Ｌ１、Ｌ２を選ぶ。そして、平面視（図２（ｂ）では底面視）において、線分Ｌ１、Ｌ２が成す角度のうち大きい方（優角θ）の領域に、線分Ｌ３が存在するように、放音部ＳＰ３、ＳＰ５、ＳＰ８を配置する。
【００４５】
このようにすれば、周囲の広い範囲に音を伝達できる。周囲に音を広げる観点では、少なくとも３つの放音部ＳＰがこの条件を満たせばよく、放音部ＳＰの数は４以上でもよい。また、配置位置は、前後、左右に限られず、斜め前左方等の角部であってもよい。
【００４６】
本実施の形態によれば、上ケース体１０に、スピーカボックスとして機能する下ケース体２０を設け、下ケース体２０の周囲面部の全周に複数の放音部ＳＰを設けたので、音響特性が良い音を楽器周囲の広い範囲に伝えることができる。ここで、「音響特性が良い音」とは、例えば、広い周波数帯域に亘ってレベルが落ちないクリアな音である。
【００４７】
また、下ケース体２０の周囲面部は、傾斜面であるので、各放音部ＳＰの配設面積を大きく稼ぐことができる。よって、楽器の高さを抑えつつ、各放音部ＳＰの面積を大きくして放音効果を高めることができる。
【００４８】
さらに、上ケース体１０の周囲面部は、下ケース体２０の周囲面部に対向する方向に傾斜しているので、上ケース体１０の周囲面部が、放音部ＳＰから発した音の反射板として働き、音が広がる効果を一層高めることができる。
【００４９】
なお、上ケース体１０、下ケース体２０の各周囲面部の傾斜角度は、例示であり、互いに向き合う方向に傾斜していれば、その程度に応じた効果は発揮される。
【００５０】
なお、放音部ＳＰの配設面積を大きくするという効果を望まない場合は、下ケース体２０の周囲面部を傾斜面に形成することは必須でなく、例えば、垂直としてもよい。また、上ケース体１０の周囲面部に、放音部ＳＰから発した音の反射板としての効果を望まない場合は、上ケース体１０の周囲面部を傾斜面に形成することは必須でなく、例えば、垂直としてもよい。
【００５１】
（第２の実施の形態）
図３（ａ）は、本発明の第２の実施の形態に係る楽器の斜視図である。図３（ｂ）は、同楽器の背面図である。
【００５２】
本第２の実施の形態では、第１の実施の形態に比し、まず、演奏操作部として、鍵盤部ＫＢに代えて複数のドラムパッド４１でなるドラム部ＤＲを備える点が異なる。また、上ケース体１０が下ケース体２０に対して着脱自在である点が異なる。また、本第２の実施の形態では、第１の実施の形態におけるベース脚体３０を廃止して、下ケース体２０の底面部２２が楽器の底面となるようにしたが、ベース脚体３０を備えていてもよい。
【００５３】
図４（ａ）は、下ケース体２０の平面図、図４（ｂ）は上ケース体１０の下面図、図４（ｃ）は、下ケース体２０の下面図、図４（ｄ）は、図４（ａ）のＡ−Ａ線に沿う断面図である。
【００５４】
複数のドラムパッド４１でなるドラム部ＤＲは、上ケース体１０の上面部１１に配設される（図３（ａ）、（ｂ）参照）。上面部１１は、操作パネル面１１ａ、１１ｂを有する。操作パネル面１１ｂには、音色スイッチやパッドアサインスイッチ等の各種操作子群５５が配設される。複数の放音部ＳＰについては、第１の実施の形態と同様に、下ケース体２０の周囲面部に分散して配設される（図３（ａ）、（ｂ）、図４（ａ）参照）。上ケース体１０及び下ケース体２０の各周囲面部が傾斜面である点も、第１の実施の形態と同様である。
【００５５】
図３（ｂ）、図４（ｂ）、（ｄ）に示すように、上ケース体１０の下面部１２には、前後方向に沿って、２本の凹溝部４５、４６が形成されている。一方、下ケース体２０の上面部２１には、凹溝部４５、４６に対応して、２本の突条部４３、４４が形成されている。凹溝部４５、４６、突条部４３、４４は、いずれも、前面１３、前面２３の手前位置で止まっている。すなわち、凹溝部４５、４６の端面４５ａ、４６ａ、突条部４３、４４の端面４３ａ、４４ａは、前面１３、前面２３まで届いていない。
【００５６】
凹溝部４５には、端子部５１Ａ、５１Ｂ、５１Ｃが設けられ、突条部４３には、端子部５１Ａ、５１Ｂ、５１Ｃに対応する端子部４８Ａ、４８Ｂ、４８Ｃが設けられている。端子部４８Ａ及び５１Ａ、端子部４８Ｂ及び５１Ｂ、端子部４８Ｃ及び５１Ｃが、それぞれ、ステレオ出力におけるＬチャンネル用信号端子、Ｒチャンネル用信号端子、アースに相当する。
【００５７】
図４（ｄ）に示すように、凹溝部４６には、外側方向に延出した係止部４６ｂが一体に形成され、突条部４４には、係止部４６ｂに対応する係止対応部４４ｂが同方向に延出して形成される。上ケース体１０及び下ケース体２０は樹脂で形成され、凹溝部４５、４６、突条部４３、４４は、例えば、ブロー成形で形成可能である。
【００５８】
上ケース体１０を下ケース体２０に連結するには、上ケース体１０の下面部１２と下ケース体２０の上面部２１とを平行にし、上ケース体１０を相対的に前方から後方にスライドさせ、凹溝部４５、４６と突条部４３、４４とを噛み合わせる。さらに上ケース体１０をスライドさせていくと、凹溝部４５、４６の端面４５ａ、４６ａが突条部４３、４４の端面４３ａ、４４ａに当接し、下ケース体２０に対する上ケース体１０の前後方向の位置が規制される。また、左右方向の位置、及び平面視における回転角度位置も規制される。
【００５９】
しかも、係止部４６ｂの当接面４６ｂ１と係止対応部４４ｂの当接面４４ｂ１との当接係合により、上ケース体１０を上方に持ち上げただけでは、下ケース体２０から離れないように係止状態となる。なお、上ケース体１０と下ケース体２０との上下方向への分離を阻止するように係止する構造であればよく、当接面４４ｂ１、４６ｂ１の形状や位置は問わない。また他の構成でもよい。
【００６０】
それと同時に、端子部５１Ａ、５１Ｂ、５１Ｃが端子部４８Ａ、４８Ｂ、４８Ｃにそれぞれ接触し、電気的に導通状態となる。これらにより、複雑な配線や配線のための穴を設けることなく、上ケース体１０と下ケース体２０とを物理的及び電気的に容易に接続することができる。  
【００６１】
ただし、上ケース体１０の中央には、ネジ穴５０が設けられ（図４（ｂ）参照）、下ケース体２０には、ネジ穴５０に対応する締結用穴４９が形成されている（図４（ａ）、（ｃ）参照）。凹溝部４５、４６と突条部４３、４４とを係合させた状態で、下ケース体２０の下方から、締結用穴４９を介してネジ穴５０にネジを螺合することで、上ケース体１０と下ケース体２０とを安定的に連結固定することができる。また、凹溝部４５、４６と突条部４３、４４とによる仮固定が比較的頑丈であるので、ネジ１つを締結するという簡単な作業にて、強固な固定が可能である。
【００６２】
このように、凹溝部４５、４６、突条部４３、４４が、上ケース体１０と下ケース体２０とを着脱自在に嵌合状態にする嵌合手段としての機能を果たすので、コンパクトに収納や運搬を行うことができる。
【００６３】
なお、端子部４８Ａ、４８Ｂ、４８Ｃ及び端子部５１Ａ、５１Ｂ、５１Ｃは、突条部４３及び凹溝部４５の長手方向に垂直に設けたが、川の字のように平行に設けてもよい。そのようにすれば、上ケース体１０のスライドにより、突条部４３及び凹溝部４５が嵌合される際に、両端子部間の接触が確実になされる。
【００６４】
なお、突条部４３、４４と凹溝部４５、４６とは、凹凸関係を逆にしてもよい。そのようにすれば、上ケース体１０が単体で床面に載置される際、上ケース体１０の下面部１２に設けた突条部が脚部として機能すると共に、組み付け作業時等に、下ケース体２０の上面部２１に何らかの物品を一時的に置く場合に、その物品が安定する。
【００６５】
下ケース体２０の底面部２２には、設置用の４つの脚部４２が設けられる（図３（ｂ）、図４（ｃ）参照）。また、底面部２２の左右方向中央には、前後方向に亘って凹部４７が形成されていて、中低音用のスピーカ（ウーハまたはスコーカ）２７が、その放音部が凹部４７内に開口するように配設される。スピーカ２７からの音は、凹部４７を通じて前後に効率よく放音される。なお、凹部４７に相当する凹部を、左右方向に沿って追加して設けてもよい。下ケース体２０の背面２４には、スピーカ用のスピーカ端子５２が設けられる（図３（ｂ）参照）。
【００６６】
本実施の形態では、下ケース体２０は、本楽器専用ではなく、スピーカボックス単体としても販売、流通がされることを想定している。下ケース体２０のスピーカ端子５２を、他の演奏機器や音響機器に接続して、音響特性を向上させたい場合に下ケース体２０を利用することができる。
【００６７】
また、下ケース体２０に連結可能な上ケース体１０の種類を複数種類としてもよい。すなわち、種類の異なる複数の上ケース体１０のうち１つを選択して、下ケース体２０に装着することで、異機種の楽器間でスピーカボックスとしての下ケース体２０を共用化することができる。また、製造される機種に応じて、下ケース体２０の複数の放音部ＳＰのうち、実際に放音に用いるものを決定するようにしてもよい。
【００６８】
本実施の形態によれば、第１の実施の形態と同様の効果を奏する。それだけでなく、上ケース体１０と下ケース体２０とを着脱自在にし、複数の上ケース体１０の１つを選択的に連結することで、異機種を製造可能にしたので、異機種の楽器間で下ケース体２０を共用化することができる。
【００６９】
なお、第２の実施の形態で説明した、上ケース体１０と下ケース体２０とを物理的及び電気的に着脱自在にする構成や、上ケース体１０を選択的に下ケース体２０に装着可能にする構成は、第１の実施の形態にも適用可能である。
【００７０】
ところで、上記第１、第２の実施の形態では、上ケース体１０と下ケース体２０とを別体で構成したが、図５（ａ）に変形例の楽器を示すように、一体の楽器１００として構成してもよい。楽器１００の筐体は、ブロー成形等で形成可能である。すなわち、楽器１００は、上面部１１、底面部２２及び周囲面部１０２を有し、周囲面部１０２は、上下方向中間部がくびれていて、楽器１００全体の側面視形状が鼓形状に形成される。
【００７１】
周囲面部１０２は、第１、第２の実施の形態における前面１３、背面１４、左側面１５及び右側面１６に相当する上側周囲面部１０２ａと、前面２３、背面２４、左側面２５及び右側面２６に相当する下側周囲面部１０２ｂとでなる。複数の放音部ＳＰは、周囲面部１０２に配設される。この例では、上側周囲面部１０２ａと下側周囲面部１０２ｂの双方に配設される。演奏操作部や放音部ＳＰの平面視における配置等、その他の構成は、第１の実施の形態と同様である。ベース脚体３０の図示は省略しているが、ベース脚体３０は上記と同様に、廃止してもよい。
【００７２】
なお、周囲面部に、放音部ＳＰから発した音の反射板としての効果を持たせる観点に限れば、上側周囲面部１０２ａ及び下側周囲面部１０２ｂの少なくとも一方に放音部ＳＰを設ければよい。互いが反射板として機能する。このことは、第１、第２の実施の形態にも適用可能である。
【００７３】
ところで、図５（ｂ）に示すように、楽器１００は、底面部２２が鉛直方向を向くように床面１０１に載置したとき、底面部２２が鉛直方向に平行な状態で楽器１００が起立するようになっている。そのために、平面視における上面部１１及び底面部２２の外郭形状が一致する縁部１００ａ、１００ｂを有し、縁部１００ａ、１００ｂが共に接地される。これにより、非使用時における楽器１００の配設スペースが小さくて済む。
【００７４】
縁部１００ａ、１００ｂは、例えば、楽器１００の前端、後端、左端、右端のいずれかの縁のうち、上面部１１または底面部２２に連接する辺に相当する部分である。具体的には、前端、後端、左端、右端のいずれの縁も上記に該当し、４種類の起立の態様が可能である。この構成は、第１、第２の実施の形態においても採用可能である。
【００７５】
ところで、図５（ｃ）に示すように、ベース脚体３０は、楽器１００に対して着脱自在に構成してもよい。その場合、底面部２２にスピーカ２７に相当するスピーカ２７Ａの放音部を設けると共に、ベース脚体３０には、スピーカ２７Ａの放音部に対応する位置に、貫通した穴である放音部２７Ｂを設ける。また、ベース脚体３０の底面の４つの脚部３１（図２（ｂ）参照）を取り外し可能に構成し、脚部３１を取り外して生じた各穴３５に、支持棒３６を差し込んで、ベース脚体３０が支持されるように構成してもよい。このようにすれば、ベース脚体３０の着脱、さらには支持棒３６の着脱によって、楽器１００の高さを３段階に変えられる。しかも、放音部２７Ｂによって、下方への放音効果は確保される。この構成は、第１、第２の実施の形態においても採用可能である。
【００７６】
なお、演奏操作部として、鍵盤部ＫＢ及びドラム部ＤＲを例示したが、これらに限られず、スピーカボックスによって拡声する意義のある楽器の演奏操作部であれば、大正琴の弦等、各種のものを採用可能である。
【図面の簡単な説明】
【００７７】
【図１】本発明の第１の実施の形態に係る楽器の平面図（図（ａ））、正面図（図（ｂ））、右側面図（図（ｃ））である。
【図２】同楽器の背面図（図（ａ））、底面図（図（ｂ））、左側面図（図（ｃ））である。
【図３】本発明の第２の実施の形態に係る楽器の斜視図（図（ａ））、背面図（図（ｂ））である。
【図４】下ケース体の平面図（図（ａ））、上ケース体の下面図（図（ｂ））、下ケース体の下面図（図（ｃ））、図４（ａ）のＡ−Ａ線に沿う断面図（図（ｄ））である。
【図５】変形例の楽器を模式的に示す正面図（図（ａ））、縦置き時の正面図（図（ｂ））、ベース脚体を着脱自在にした場合の分解図（図（ｃ））である。
【符号の説明】
【００７８】
１０  上ケース体、  １１  上面部、  １２  下面部、  １３  前面（周囲面部）、  １４  背面（周囲面部）、  １５  左側面（周囲面部）、  １６  右側面（周囲面部）、  ２０  下ケース体、  ２１  上面部、  ２２  底面部、  ２３  前面（周囲面部）、  ２４  背面（周囲面部）、  ２５  左側面（周囲面部）、  ２６  右側面（周囲面部）、  ２７  スピーカ（放音部）、  ２７Ａ  スピーカ（放音部）、  ２７Ｂ  放音部、  ４３、４４  突条部（嵌合手段）、  ４５、４６  凹溝部（嵌合手段）、  ４７  凹部、  １００  楽器、  １０１  床面、  １００ａ、１００ｂ  縁部、  １０２  周囲面部、  ＫＢ  鍵盤部（演奏操作部）、  ＤＲ  ドラム部（演奏操作部）、  ＳＰ  放音部、  Ｐ０  中心点、  Ｌ１  線分（第１線分）、  Ｌ２  線分（第２線分）、  Ｌ３  線分（第３線分）
【図１】
0005223430.tif 000002
【図２】
0005223430.tif 000003
【図３】
0005223430.tif 000004
【図４】
0005223430.tif 000005
【図５】
0005223430.tif 000006